(57)【要約】【課題】二方向に開閉可能なごみ箱の蓋を提供する。【解決手段】直交する二つの軸がＬ字状に連続する構成よりなる連結軸１の一方の軸をＸ軸１Ｘとしてごみ箱の本体１０のＸ方向に沿って軸止すると共に、他方の軸をＹ軸１Ｙとして蓋２０のＹ方向に沿って軸止することにより、Ｘ軸を中心とした揺動とＹ軸を中心とした揺動からなる二方向の蓋の開閉運動を可能とする。【選択図】　　　図１
2004083191.tif 000002
【特許請求の範囲】
【請求項１】
直交する二つの軸がＬ字状に連続する構成よりなる連結軸の一方の軸をＸ軸としてごみ箱の本体のＸ方向に沿って軸止すると共に、他方の軸をＹ軸として蓋のＹ方向に沿って軸止することにより、Ｘ軸を中心とした揺動とＹ軸を中心とした揺動からなる二方向の蓋の開閉運動を可能としたことを特徴とするごみ箱の蓋。
【請求項２】
連結軸又は蓋に設けた枢軸を回転自在に受け止めるキャッチャーをごみ箱の本体に設けた請求項１記載の容器の蓋。
【発明の詳細な説明】
【０００１】
【発明の属する技術分野】
この発明は枢軸を中心に揺動開閉するごみ箱の蓋に関し、より詳細には二方向に開閉可能なごみ箱の蓋に関する。
【０００２】
【従来の技術】
従来、上部に設けた蓋が開閉するごみ箱において、ごみ箱の本体（以下、単に「本体」と称する）に対し蓋が揺動開閉するように枢設したものが公知であった。そして、この場合開放時に大きな開口部を得られるように、枢設箇所は本体の開口縁の外周の何れかに偏って設けられることが一般的であった。即ち、矩形のごみ箱を例にとれば、蓋は長手側の一辺又は短手側の一辺を中心に揺動開閉することになる。
【０００３】
【発明が解決しようとする課題】
ところで、家庭内で使用するごみ箱においては、家具同士の隙間や壁際等の限られた空間を利用して置かれるのが通例である。この場合、従来技術の矩形のごみ箱においては蓋は長手側の一辺又は短手側の一辺のうち予め設定された側を中心に揺動開閉するので、蓋の開閉方向が置き場所に適合しないと使い勝手が悪くなる問題があった。
【０００４】
【課題を解決するための手段】
この発明は以上の問題点に鑑みて創作されたものであり、直交する二つの軸がＬ字状に連続する構成よりなる連結軸の一方の軸をＸ軸としてごみ箱の本体のＸ方向に沿って枢支すると共に、他方の軸をＹ軸として蓋のＹ方向に沿って枢支することにより、Ｘ軸を中心とした揺動とＹ軸を中心とした揺動からなる二方向の蓋の開閉運動を可能としたことを特徴とする。
【０００５】
図８乃至図１０はこの発明のごみ箱の蓋の作動原理を示す図である。図中符号５０は開口Ｈを有する矩形のごみ箱の本体、６０は蓋、４０は連結軸を指し、連結軸はＸ軸が本体５０の短手側の軸受け５１に、Ｙ軸が蓋６０の長手側の軸受け６１に軸止される。図８は本体５０の短手側左端に軸止されているＸ軸を中心に連結軸４０を揺動させてＹ軸を本体方向に倒した状態を示す図である。この場合、連結軸４０のＹ軸は蓋６０の長手側に軸止されているので、本体の長手側後端に蓋の長手側が位置することとなり、蓋は連結軸のＹ軸を中心に短手方向前後に揺動開閉することとなる。
【０００６】
図９は本体に蓋を被蓋した状態を示す図である。この状態においては蓋６０は連結軸４０のＹ軸を中心に揺動することも、連結軸４０と共にそのＸ軸を中心に揺動することも可能となる。
【０００７】
図１０はＹ軸に枢支された蓋６０を手前に倒した状態で連結軸４０を揺動させてＹ軸を本体５０の反対方向に倒した状態を示す図である。この場合、本体５０の短手側左端に蓋６０の短手側が位置することとなり、蓋は連結軸のＸ軸を中心に長手方向左右に揺動開閉することとなる。
【０００８】
【発明の実施の形態】
以下、この発明の具体的実施例を添付図面に基づいて説明する。図１乃至図７はこの発明をプラスチック製の家庭用ごみ箱に実施した例を示す図であり、ここでは断面矩形のごみ箱を想定している。この実施例においてはごみ箱の本体は容器部Ｄと蓋支持部１０に分割され、蓋２０は蓋支持部を介して容器部に設けられることとなる。蓋支持部１０は中央に開口Ｄを有する枠状のものであり、容器部Ｄの上端に外嵌載置されると共に、揺動自在の押さえ具Ｄ１の鉤部Ｄ２が周縁に係合することにより着脱自在に固定される（図５乃至図７参照）。
【０００９】
図中符号１は蓋２０を蓋支持部１０に対して揺動自在に枢支するための連結軸である（図１乃至図４参照）。この連結軸１は直交するＸ軸１Ｘ、Ｙ軸１ＹがＬ字状に連続する構成よりなり、この実施例においては金属製としている。連結軸１のＸ軸１Ｘは蓋支持部１０の周側の短手（Ｘ方向）辺に設けた軸受け１１Ａ、１１Ｂに軸止され、同じく軸１Ｙは蓋２０の周側の長手（Ｙ方向）辺に設けた軸受け２１Ａ、２１Ｂに軸止される。よって、蓋２０は連結軸１のＸ軸１Ｘを中心として揺動することも、Ｙ軸１Ｙを中心として揺動することも可能となる。この場合、図１及び図６に示すように蓋２０の短手辺と蓋支持部１０の短手辺を合致した状態でＸ軸１Ｘを中心として蓋を揺動すれば、蓋はごみ箱の長手方向に開閉することとなる。又、図３及び図７に示すように蓋２０の長手辺と蓋支持部１０の長手辺を合致した状態でＹ軸１Ｙを中心として蓋を揺動すれば、蓋はごみ箱の短手方向に開閉することとなる。
【００１０】
尚、この実施例においては、蓋２０が連結軸１のＸ軸１Ｘ及びＹ軸１Ｙを中心として揺動する場合に各軸が蓋支持部１０に対して安定するように、連結軸１又は蓋に設けた枢軸を回転自在に受け止めるキャッチャーを蓋支持部に設けている。即ち、蓋支持部１０の短手辺には蓋２０の短手辺を蓋支持部の短手辺に合致させた際に蓋に設けた枢軸２４を回転自在に受け止めるためのＵ字状のキャッチャー２４が設けられる（図１及び図２参照）。又、蓋支持部１０の長手辺には蓋２０の長手辺を蓋支持部の長手辺に合致させた際に連結軸１のＹ軸１Ｙを回転自在に受け止めるためのＵ字状のキャッチャー１３と蓋に設けた枢軸２２を同じく回転自在に受け止めるためのＵ字状のキャッチャー１２が設けられる（図３及び図４参照）。
【００１１】
【発明の効果】
以上の構成よりなるこの発明によれば、ごみ箱の蓋が二方向に開閉するので置き場所により最適な開閉方向を選択できるので使い勝手のよいごみ箱が実現される。又、直交する二つの軸がＬ字状に連続する構成よりなる連結軸を利用して二方向の開閉を実現するので構造が簡単であり、しかも反復開閉しても壊れ難い開閉機構が実現される。
【図面の簡単な説明】
【図１】この発明のごみ箱の蓋の開放状態の斜視図。
【図２】同上、キャッチャー部分の拡大斜視図。
【図３】同上、異なる方向の開放状態の斜視図。
【図４】同上、キャッチャー部分の拡大斜視図。
【図５】この発明のごみ箱の蓋を設けたごみ箱の閉止状態の斜視図。
【図６】同上、開放状態の斜視図。
【図７】同上、異なる方向の開放状態の斜視図。
【図８】この発明の作動原理を示す平面図。
【図９】この発明の作動原理を示す平面図。
【図１０】この発明の作動原理を示す平面図。
【符号の説明】
１　　　　連結軸
１０　　　蓋支持部
１１Ａ　　軸受け
１１Ｂ　　軸受け
２０　　　蓋
２１Ａ　　軸受け
２１Ｂ　　軸受け
【図１】
2004083191.tif 000003
【図２】
2004083191.tif 000004
【図３】
2004083191.tif 000005
【図４】
2004083191.tif 000006
【図５】
2004083191.tif 000007
【図６】
2004083191.tif 000008
【図７】
2004083191.tif 000009
【図８】
2004083191.tif 000010
【図９】
2004083191.tif 000011
【図１０】
2004083191.tif 000012